(57)【特許請求の範囲】
【請求項１】
略台形状を成し幅方向中央が下部で分離された前布及び後布を、両布の斜辺の斜辺下部域で接合して筒状と成すとともに、前記分離された幅方向中央の下部を繋ぐように中央下部域に設けた股布を介して接合してキュロットスカート状と成した袴であって、
前記前布及び後布の各々は、一方の斜辺の非接合の斜辺上部域から他方の斜辺の非接合の斜辺上部域に至るように設けられて当該前布及び後布の各上端部とその下方の各下布部とを分離可能とするファスナーを有し、
前記前布及び後布の各々の裏面には、一端を前記上端部に接合されるとともに他端を前記下布部に接合された紐を有し、
前記前布及び後布の各々の前記下布部の裏面には、前記紐を当該の裏面から離れないように規制するガイドが設けられている、
ことを特徴とする袴。
【請求項２】
請求項１に於いて、
前記ガイドは複数設けられており、各々が前記紐の前記他端の係止部として機能する、
ことを特徴とする袴。
【請求項３】
請求項１に於いて、
前記紐の前記他端は、前記下布部の下端部に接合されている、
ことを特徴とする袴。
【請求項４】
請求項１〜請求項３の何れかに於いて、
前記紐は伸縮可能な弾性を有する、
ことを特徴とする袴。
【請求項５】
略台形状を成し幅方向中央が下部で分離された前布及び後布を、両布の斜辺の斜辺下部域で接合して筒状と成すとともに、前記分離された幅方向中央の下部を繋ぐように中央下部域に設けた股布を介して接合してキュロットスカート状と成した袴であって、
前記前布と後布の何れかは、一方の斜辺の非接合の斜辺上部域から他方の斜辺の非接合の斜辺上部域に至るように設けられて当該前布又は後布の上端部とその下方の下布部とを分離可能とするファスナーを有し、
前記ファスナーを有する前布又は後布の何れかの裏面には、一端を前記上端部に接合されるとともに他端を前記下布部に接合された紐を有し、
前記紐を有する前記下布部の裏面には、前記紐を当該の裏面から離れないように規制するガイドが設けられている、
ことを特徴とする袴。
【請求項６】
請求項５に於いて、
前記ガイドは複数設けられており、各々が前記紐の前記他端の係止部として機能する、
ことを特徴とする袴。
【発明の詳細な説明】
【技術分野】
【０００１】
本発明は、袴に関する。詳しくは、便意を催した場合に簡単に対応でき、用を足した後は、元の着用状態に容易に復帰できる袴に関する。
本発明の袴は、武道（例：弓道，剣道）用、儀式（例：卒業式，神事）用等、多種多様な用途の袴として実現可能である。
【背景技術】
【０００２】
武道（例：弓道，剣道）用、儀式（例：卒業式，神事）用等の多種多様な袴が提供されているが、それらは、何れも、着用に複雑で煩雑な手間を要する。このため、試合前の待機中や儀式の途中等に便意を催した場合には、一旦、脱いで用を足した後、再度、着用しなければならず、その都度、大変な手間隙を要することになる。
【０００３】
実開平０３−００１９０８号公報（特許文献１）には、袴の股下部分にファスナーを設け、用便時に股下部分を両開きできるようにした技術が記載されている。実開昭６１−０７８８１２号公報（特許文献２）、実開平０２−０４２０１４号公報（特許文献３）、特開２００４−３３９６６６号公報（特許文献４）にも、同様の技術が記載されている。
実開昭５９−１００８０９号公報（特許文献５）には、袴の股下部分から両脚部分上部に至るファスナーを設け、股下部分から両脚部分上部に至る大きな開口を開けられるようにして、用便時に対応可能にした技術が記載されている。
【先行技術文献】
【特許文献】
【０００４】
【特許文献１】実開平０３−００１９０８号公報
【特許文献２】実開昭６１−０７８８１２号公報
【特許文献３】実開平０２−０４２０１４号公報
【特許文献４】特開２００４−３３９６６６号公報
【特許文献５】実開昭５９−１００８０９号公報
【発明の概要】
【発明が解決しようとする課題】
【０００５】
特許文献１〜４は、何れも、排便に必要な小サイズの開口を設けるものであり、実際の使用に際しては、かなりの無理が伴うと思われる。また、使い難いため、試合前の待機中や儀式の途中等に於いて使用すると、精神の集中を妨げ易くなるという不具合もある。
特許文献５は、特許文献１〜４より若干大サイズの開口を設けるものであるが、十分に下半身を露出できないため、例えば、洋式トイレでの使用には無理が伴う。
本発明は上述の事情に鑑みたものであり、試合前の待機中や儀式の途中等のように精神の集中を要する場合でも、また、洋式トイレでも、躊躇うことなく簡単に利用でき、さらに、用を足した後は、簡単に着用状態を回復できる袴を提供することを目的とする。
【課題を解決するための手段】
【０００６】
本発明の技術を、下記［１］〜［６］に記す。なお、この項（［課題を解決するための手段］）と次項（［発明の効果］）に於いて、符号は理解を容易にするために付したものであり、本発明は符号の構成に限定されない。
【０００７】
［１］発明１
略台形状を成し幅方向中央が下部で分離された前布１及び後布３を、両布１，３の斜辺１２，３２の斜辺下部域１２２，３２２で接合して筒状と成すとともに、前記分離された幅方向中央の下部を繋ぐように中央下部域に設けた股布２を介して接合してキュロットスカート状と成した袴であって、
前記前布１及び後布３の各々は、一方の斜辺１２ａ，３２ａの非接合の斜辺上部域１２４ａ，３２４ａから他方の斜辺１２ｂ，３２ｂの非接合の斜辺上部域１２４ｂ，３２４ｂに至るように設けられて当該前布１及び後布３の各上端部１７，３７とその下方の各下布部１８，３８とを分離可能とするファスナー４（４１，４３）を有し、
前記前布１及び後布３の各々の裏面には、一端５７を前記上端部１７，３７に接合されるとともに他端５８を前記下布部１８，３８に接合された紐５（５１，５３）を有し、
前記前布１及び後布３の各々の前記下布部１８，３８の裏面には、前記紐５１，５３を当該の裏面から離れないように規制するガイド６１，６３が設けられている、
ことを特徴とする袴。
【０００８】
キュロットスカートとは、広辞苑によれば「女性用の半ズボン型スカート」の意味であり、本発明の袴では、例えば、弓道用であれば着用時に膝の高さとなる位置に股下／股上の境目が位置する。また、剣道用や卒業式用等の袴であれば、着用時に股の高さとなる位置に股下／股上の境目が位置する。要は、当該の袴の用途によって決まる高さ位置に、股下／股上の境目は位置する。
袴には、通常、襞が設けられており、本発明の袴でも当然に設けられ得る。なお、本発明の要旨には特に関連しないため、襞についての言及及び図示は割愛する。
斜辺下部域１２２，３２２の接合は、例えば、布の接合であるため縫合でよいが、当該の部位が当初から一枚布として一体化されている場合をも含む。股布２を介する接合についても同様である。
ファスナー４（４１，４３）としては、オープンスライドファスナーを好適に用いることかできるが、本発明では、前布１及び後布３の各上端部１７，３７とその下方の各下布部１８，３８とを、着用時には確実に一体化でき、分離する必要が生じた時には簡単且つ確実に完全に分離でき、さらに、用を足す等した後は、簡単な操作で速やかに着用状態を回復できるものであればよい。したがって、一義的には線上に並んだ務歯が噛み合うことで両側を固定する線ファスナーであるが、上記の条件を満たすものであれば、スナップボタン等の点ファスナーの配列であってもよい。
着用時にファスナー４（４１，４３）が隠れるように、ファスナーを覆い隠す布地等を適宜に設けてもよい。
【０００９】
前述のガイド６１，６３は、例えば、下布部１８，３８の裏面から緩く浮かすようにして、短い紐の両端を、当該下布部１８，３８の裏面に縫いつけることで構成できる。
［２］発明２
発明１に於いて、
前記ガイド６１，６３は複数設けられており、各々が前記紐５１，５３の前記他端５８の係止部として機能する、
ことを特徴とする袴。
［３］発明３
発明１に於いて、
前記紐５１，５３の前記他端５８は、前記下布部１８，３８の下端部１８０，３８０に接合されている、
ことを特徴とする袴。
［４］発明４
発明１〜発明３の何れかに於いて、
前記紐５１，５３は伸縮可能な弾性を有する、
ことを特徴とする袴。
例えば、ゴム紐である。
［５］発明５
略台形状を成し幅方向中央が下部で分離された前布１及び後布３を、両布１，３の斜辺１２，３２の斜辺下部域１２２，３２２で接合して筒状と成すとともに、前記分離された幅方向中央の下部を繋ぐように中央下部域１５２，３５２に設けた股布２を介して接合してキュロットスカート状と成した袴であって、
前記前布１と後布３の何れかは、一方の斜辺１２ａ（／３２ａ）の非接合の斜辺上部域１２４ａ（／３２４ａ）から他方の斜辺１２ｂ（／３２ｂ）の非接合の斜辺上部域１２４ｂ（／３２４ｂ）に至るように設けられて当該前布１又は後布３の上端部１７（／３７）とその下方の下布部１８（／３８）とを分離可能とするファスナー４１（／４３）を有し、
前記ファスナー４１（／４３）を有する前布１又は後布３の何れかの裏面には、一端５７を前記上端部１７（／３７）に接合されるとともに他端を前記下布部１８（／３８）に接合された紐５１（／５３）を有し、
前記紐５１（／５３）を有する前記下布部１８（／３８）の裏面には、前記紐５１（／５３）を当該の裏面から離れないように規制するガイド６１（／６３）が設けられている、
ことを特徴とする袴。
［６］発明６
発明５に於いて、
前記ガイド６１（／６３）は複数設けられており、各々が前記紐５１（／５３）の前記他端の係止部として機能する、
ことを特徴とする袴。
【発明の効果】
【００１０】
発明１は、略台形状を成し幅方向中央が下部で分離された前布１及び後布３を、両布１，３の斜辺１２，３２の斜辺下部域１２２，３２２で接合して筒状と成すとともに、前記分離された幅方向中央の下部を繋ぐように中央下部域１５２，３５２に設けた股布２を介して接合してキュロットスカート状と成した袴であって、前記前布１及び後布３の各々は、一方の斜辺１２ａ，３２ａの非接合の斜辺上部域１２４ａ，３２４ａから他方の斜辺１２ｂ，３２ｂの非接合の斜辺上部域１２４ｂ，３２４ｂに至るように設けられて当該前布１及び後布３の各上端部１７，３７とその下方の各下布部１８，３８とを分離可能とするファスナー４（４１，４３）を有し、前記前布１及び後布３の各々の裏面には、一端５７を前記上端部１７，３７に接合されるとともに他端５８を前記下布部１８，３８に接合された紐５（５１，５３）を有し、前記前布１及び後布３の各々の前記下布部１８，３８の裏面には、前記紐５１，５３を当該の裏面から離れないように規制するガイド６１，６３が設けられていることを特徴とする袴であるため、着用後、必要が生じた場合は、ファスナー４１，４３を開くという簡単な操作で、前布１及び後布３の各下布部１８，３８を上端部１７，３７から分離して足元に下ろすことができる。このため、洋式トイレであっても、用足しが容易である。また、下布部１８，３８を足元まで下ろしたときでも、前布１及び後布３の各上端部１７，３７と各下布部１８，３８とは、それぞれ、紐５１，５３によって結ばれているため、後の着用状態の回復も容易である。また、下布部１８，３８を足元まで下ろしたときでも、前布１及や後布３の上端部１７，３７と下布部１８，３８を結ぶ紐５１，５３が、下布部１８，３８の裏面から離れず、このため、紐５１，５３が用足しの邪魔になることもない。
発明２は、発明１に於いて、前記ガイド６１，６３は複数設けられており、各々が前記紐５１，５３の前記他端５８の係止部として機能する袴であるため、紐５１，５３の下端を下布部１８，３８の適宜の位置に結びつけることができ、着用者の体格に応じて、下布部１８，３８を下ろす高さを調整することができる。
発明３は、発明１に於いて、前記紐５１，５３の前記他端５８は、前記下布部１８，３８の下端部１８０，３８０に接合されている袴であるため、下布部１８，３８を足元まで下ろすことができる。
発明４は、発明１〜発明３の何れかに於いて、前記紐５１，５３は伸縮可能な弾性を有する袴であるため、下布部１８，３８を下ろす操作が容易である。
発明５、６は、発明１、２の簡易版の発明を提供できる。
【図面の簡単な説明】
【００１１】
【図１】実施の形態の袴を示し、（Ａ）は上面模式図（上部）及び正面模式図（下部）、（Ｂ）は（Ａ）内Ｂ−Ｂ視断面模式図、（Ｃ）は（Ａ）の裏面、即ち（Ｂ）内Ｃ−Ｃ視断面模式図。
【図２】図１の袴に於いてオープンスライドファスナー４（４１，４３）を開いて上端部１７，３７から下布部１８，３８を切り離した（分離した）様子を示す。（Ａ）は正面模式図、（Ｂ）は（Ａ）内Ｂ−Ｂ視断面模式図、（Ｃ）は（Ａ）の裏面、即ち（Ｂ）内Ｃ−Ｃ視断面模式図。
【発明を実施するための形態】
【００１２】
図面を参照して、本発明の実施の形態を説明する。図１及び図２は、本発明を弓道用の袴に適用した実施の形態を模式的に示す。弓道用の袴では、着用したときに膝の高さＨ付近となる高さが、股下−股上の境界となる。
図１は、オープンスライドファスナー４（４１，４３）を閉じて前布１の上端部１７と下布部１８とを一体化し、且つ、後布３の上端部３７と下布部３８とを一体化した様子を示す。即ち、着用時の状態を示す。なお、前布１の前帯７１、後布３の後帯７３は、締結前の状態として示している。
図２は、オープンスライドファスナー４（４１，４３）を開いて前布１の上端部１７から下布部１８を分離し、且つ、後布３の上端部３７から下布部３８を分離することで、前布１の下布部１８及び後布３の下布部３８を、ともに下ろした様子を示す。つまり、用足し時用の機能を示す。
なお、図１と図２の何れも、人の図示は省略している。
【００１３】
一般的な袴と同様に、図示の袴は、着用時に人の下半身前側を覆う前布１、下半身後側を覆う後布３、股の上方から股の下方に至る部位（弓道用の袴では膝の高さＨの部位）を１本の筒状から左右の足用の２本の筒状に分離する股布２、前布１の上端の左右から延びて着用状態の固定に用いられる前帯７１、後布３の上端の左右から延びて着用状態の固定に用いられる後帯７３を有する。また、前布１や後布３では、図示は割愛するが、適宜の部位に、適宜の襞が設けられている。
【００１４】
前布１と後布３は略台形状を成し、幅方向中央の下部が分離されている。
前布１と後布３は、台形の斜辺１２，３２の下部域（斜辺下部域）１２２，３２２を太点線で示すように縫合されており、これにより、筒状とされている。
また、前布１と後布３は、台形の幅方向中央の分離された下部を筒の内側へ折り返すように延ばされて相互に縫合されており、これにより、股布２が構成されて、股の下方（膝の高さＨより下の部位）が、左右の足用の２本の筒状とされている。なお、台形の幅方向中央の分離された下部を筒の内側へ折り返すように延ばされる布地としては、前布１や後布３とは別体の布地（股布２用の布地）を用いてよいことは勿論である。
【００１５】
図示の袴には、さらに、ファスナー４（４１，４３）、紐５（５１，５３）、紐５（５１，５３）用のガイド６（６１，６３）が設けられている。
【００１６】
ファスナー４１は、図１に示すように、前布１の上端部１７と下布部１８との間に設けられて両者を一体化している。即ち、着用者が簡単な操作で図２に示すように前布１の上端部１７から下布部１８を切り離して完全に分離できるように、及び、図２の分離状態から図１の一体化状態に容易に復帰できるように、設けられている。なお、ファスナー４１の高さ位置は、前述の「台形の斜辺１２の下部域（斜辺下部域）１２２より上方であればよい。即ち、前布１と後布３とが一体化されていない斜辺上部域１２４（１２４ａ，１２４ｂ）や、その上方の位置であればよい。この高さ範囲の中で、着用者の使用時の感覚等を考慮して、適切に設定すればよい。図示の例では、前帯７１の取付位置の高さより若干下方に設けられている。
なお、本実施の形態では、ファスナー４１として、オープンスライドファスナーを用いているが、上記の機能を奏し得るものであれば、他のファスナーであってもよい。
【００１７】
後布３に設けられるファスナー４３も、前布１のファスナー４１と同様である。
即ち、後布３の上端部３７と下布部３８との間に設けられて両者を一体化しており、着用者の簡単な操作で後布３の上端部３７から下布部３８を切り離して完全に分離でき、及び、分離状態から一体化状態に容易に復帰できるように設けられている。ファスナー４３の高さ位置も同様であり、前述の「台形の斜辺３２の下部域（斜辺下部域）３２２より上方であればよい。即ち、前布１と後布３とが一体化されていない斜辺上部域３２４（３２４ａ，３２４ｂ）であればよい。上記の機能を奏し得るものであれば、オープンスライドファスナー以外のファスナーであってよいことも同様である。
なお、後布３に設けられるファスナー４３については、ファスナー４１と同様であるため、図１（Ａ），図２（Ａ）のような詳細な図示は省略する。
また、ファスナー４１，４３の何れも、一体化状態（袴の着用状態）に於いて外側から視認できないように、ファスナー４１，４３を覆い隠すための適宜の布等を、適宜の部位に設けてよいことは勿論である。
【００１８】
紐５１は、前布１の上端部１７から下布部１８を切り離して分離したときに、下布部１８と上端部１７との最小限の連繋を確保しておき、元の着用状態への復帰操作を容易とするための部材である。このため、紐５１は、その一端（上端）が前布１の上端部１７の裏面に縫い合わせて固定され、他端（下端）が下布部１８の裏面の下端部１８０に縫い合わせて固定されている。
【００１９】
紐５３も同様の部材である。即ち、後布３の上端部３７から下布部３８を切り離して分離したときに、下布部３８と上端部３７との最小限の連繋を確保しておき、元の着用状態への復帰操作を容易とするための部材である。このため、紐５３は、その一端（上端）が後布３の上端部３７の裏面に縫い合わせて固定され、他端（下端）が下布部３８の裏面の下端部３８０に縫い合わせて固定されている。
なお、紐５１，５３を、弾性を有する素材で構成して、伸び縮み可能としてもよい。そのようにすると、下布部１８，３８と上端部１７，３７との連繋を改善でき、着用者の使用感を改善できる場合がある。
【００２０】
ガイド６１は、例えば、布製の短い紐の両端を、前布１の下布部１８の裏面に縫いつけて固定することで構成される。このガイド６１は、紐５１が前布１の下布部１８の裏面から離れず、上端部１７から下布部１８を分離したときに該下布部１８と略一体となるようにすることで、元の着用状態への復帰を容易化するための部材である。ガイド６１としては、図示のように複数個を配列して設けてもよい。
【００２１】
後布３に設けられるガイド６３も、ガイド６１と同様である。即ち、布製の短い紐の両端を、後布３の下布部３８の裏面に縫いつけて固定することにより、構成することができる。複数個を配列してよいことも、ガイド６１と同様である。
【００２２】
紐５１の前記他端（下側の端部）５８は、上述の例では前布１の下布部１８の下端部１８０に縫いつけて固定しているが、これに代えて、該他端５８を、ガイド６１の何れかに着用者が結びつけて固定するようにしてもよい。そのようにすると、紐５１の実効的な長さを調整できるため、上端部１７から下布部１８を分離したときに、該下布部１８を下ろす高さを適切に調整できる。
紐５３についても同様である。
【００２３】
上記実施の形態では、前布１と後布３の両者にファスナー４（４１，４３）を設けるとともに、紐５（５１，５３）やガイド６（６１，６３）を設けているが、これらを、前布１と後布３の何れか一方のみに設けるようにしてもよい。
その場合には、簡易的に上記実施の形態の作用効果を奏する袴を得ることができる。
【符号の説明】
【００２４】
１  前布
１２  （前布の）斜辺
１２ａ  （前布の）一方の斜辺
１２ｂ  （前布の）他方の斜辺
１２２  斜辺下部域
１２４  斜辺上部域
１２４ａ  一方の斜辺上部域
１２４ｂ  他方の斜辺上部域
１７  （前布の）上端部
１８  （前布の）下布部
１８０  下布部の下端部
２  股布
３  後布
３２  （後布の斜辺）
３２ａ  （後布の）一方の斜辺
３２ｂ  （後布の）他方の斜辺
３２２  斜辺下部域
３２４  （後布の）斜辺上部域
３２４ａ  （後布の）一方の斜辺上部域
３２４ｂ  （後布の）他方の斜辺上部域
３７  （後布の）上端部
３８  （後布の）下布部
３８０  下布部の下端部
４  ファスナー
４１  （前布の）ファスナー
４３  （後布の）ファスナー
５  紐
５１  （前布の）紐
５３  （後布の）紐
５７  紐の一端
５８  紐の他端
６  ガイド
６１  （前布の）ガイド
６３  （後布の）ガイド
７１  前帯
７３  後帯
Ｈ  膝高さ位置
【要約】
【課題】  着用後、洋式トイレでも用を足し得る程度まで簡単に脱ぐ等でき、その後、簡単に元の着用状態を回復できる袴を提供する。
【解決手段】  略台形状を成し幅方向中央が下部で分離された前布１及び後布３を、両布１，３の斜辺下部域１２２，３２２で接合して筒状と成し、分離された幅方向中央の下部を繋ぐように中央下部域１５２，３５２に設けた股布２を介して接合してキュロットスカート状と成した袴。前布１及び後布３の各々は、一方の非接合の斜辺上部域１２４ａ，３２４ａから他方の非接合の斜辺上部域１２４ｂ，３２４ｂに至るように設けられて当該前布１及び後布３の各上端部１７，３７とその下方の各下布部１８，３８とを分離可能とするファスナー４１，４３を有し、前布１及び後布３の各々の裏面には、一端５７を上端部１７，３７に接合され且つ他端５８を下布部１８，３８に接合された紐５１，５３を有する袴。
【選択図】  図１【図１】
0006734459.tif 000002
【図２】
0006734459.tif 000003